(57)【要約】【課題】電源回路２４の出力が低下してスタンバイ状態に移行する前に、ユーザーにそれを知らしめる。【解決手段】電源回路２４と、液晶モジュール１６を制御するマイコン２２と、電源回路２４の出力電圧が１７０Ｖ以下になると２．０Ｖをマイコン２２の汎用ポートＧＰに出力するとともに電源回路２４の出力電圧が１６０Ｖになると１．４Ｖをマイコン２２の汎用ポートＧＰに出力し且つ電源回路２４の出力電圧が１５０Ｖになるとリセット電圧をマイコン２２のリセットポートＲＰに出力する検知回路３０と、を備えさせ、マイコン２２は、２．０Ｖを入力されると液晶モジュール１６の画面に注意メッセージを表示し、１．４Ｖを入力されると液晶モジュール１６の画面に警告メッセージを表示し、リセット電圧を入力されると電源回路２４をスタンバイ状態に移行させる。【選択図】図４
2011085856.tif 000002
【特許請求の範囲】
【請求項１】
電源回路と、
表示部を制御する表示制御回路と、
上記電源回路の出力電圧が第１電圧以下になると第１検知信号を上記表示制御回路に出力する第１減電検出回路と上記電源回路の出力電圧が上記第１電圧よりも低い第２電圧以下になると第２検知信号を上記表示制御回路に出力する第２減電検出回路と上記電源回路の出力電圧が上記第２電圧よりも低い第３電圧以下になると第３検知信号を上記表示制御回路に出力する第３減電検出回路とを少なくとも備えた検知回路と、を備え、
上記表示制御回路は、上記第１検知信号を入力されると上記表示部に第１の警告メッセージを表示し、上記第２検知信号を入力されると上記表示部に第２の警告メッセージを表示し、上記第３検知信号を入力されると上記電源回路をスタンバイ状態に移行させることを特徴とする回路。
【請求項２】
上記表示制御回路は、上記第１の警告メッセージもしくは上記第２の警告メッセージを表示したときに何れの警告メッセージを表示したかを示す情報を所定の記憶部に記憶する手段と、上記第２検知信号と上記第３検知信号との何れかが入力された後に上記第１検知信号と上記第２検知信号と上記第３検知信号との何れも入力されなくなると上記表示部に回復メッセージを表示するとともに上記所定の記憶部から上記情報を消去する手段とを備える請求項１に記載の回路。
【請求項３】
上記電源回路は、スイッチングトランスと該スイッチングトランスの一次巻線に対する印加電圧のオンオフを切換えるスイッチ回路と上記スイッチングトランスの二次巻線に発生する二次電圧の正の半波に基づいて帰還電圧を生成するフィードバック回路と上記帰還電圧が一定になるように上記スイッチ回路のオンオフを制御する帰還制御回路とを備えており、
上記検知回路の監視する上記出力電圧は上記二次電圧の負の半波である請求項１または請求項２に記載の回路。
【請求項４】
上記検知回路は、上記第１減電検出回路と上記第２減電検出回路と上記第３減電検出回路との前段に上記電源回路から上記出力電圧を入力される整流平滑回路を備えており、
上記整流平滑回路は、カソード側に上記二次電圧を入力されたダイオードと、上記ダイオードのアノード側にカソード側を接続されたツェナダイオードと、上記ダイオードのアノード側とツェナダイオードのアノード側とに負極が接続されるとともに正極が接地された電界コンデンサと、を備える請求項３に記載の回路。
【請求項５】
上記第１減電検出回路は、上記電源回路の出力電圧を分圧する第１分圧回路と、ベースに上記第１分圧回路の分圧が印加されるとともにエミッタが接地されたＮＰＮ型の第１トランジスタと、該第１トランジスタのコレクタに一端が接続されるとともに他端が所定の定電圧源に接続された第１分割抵抗と、を備えており、上記電源回路の出力電圧が上記第１電圧以下になると上記第１トランジスタのベースに印加される分圧が上記第１トランジスタをターンオンする電圧を超過し、上記第１分割抵抗の分割点の電圧を上記第１検知信号として上記表示制御回路に入力し、
上記第２減電検出回路は、上記電源回路の出力電圧を分圧する第２分圧回路と、ベースに上記第２分圧回路の分圧が印加されるとともにエミッタが接地されたＮＰＮ型の第２トランジスタと、該第２トランジスタのコレクタに一端が接続されるとともに他端が上記第１分割抵抗の分割点に接続された第２抵抗と、を備えており、上記電源回路の出力電圧が上記第２電圧以下になると上記第２トランジスタのベースに印加される分圧が上記第２トランジスタをターンオンする電圧を超過し、上記第１分割抵抗の分割点の電圧を上記第２検知信号として上記表示制御回路に入力する請求項１〜請求項４の何れか１項に記載の回路。
【請求項６】
上記表示制御回路は、少なくとも一部がＩＣ（Integrated circuit）で構成されており、上記第１検知信号と上記第２検知信号は上記ＩＣの汎用ポートに入力され、上記第３検知信号は上記ＩＣのリセットポートに入力されている請求項５に記載の回路。
【発明の詳細な説明】
【技術分野】
【０００１】
本発明は、表示部を備える装置の回路に関する。
【背景技術】
【０００２】
特許文献１には、第１のトランジスタのオンに伴い第２のトランジスタがオンさせられると減電状態検出信号としてハイ信号をマイコンに出力し、第１のトランジスタのオフに伴い第２のトランジスタがオフさせされると減電状態検出信号としてロー信号をマイコンに出力する減電検出回路について開示されている。
特許文献２には、急上昇する電圧を一定の電圧に抑えながら電源を安全に落とすことの可能な電圧上昇抑制回路について開示されている。
特許文献３には、マイコンに低電圧検出端子を備えさせ、待機電源回路からの電圧が第１の所定値以下になると低電圧検出回路からローレベルの電圧がマイコンの定電圧検出端子に与えられ、低電圧であることをマイコンが検知して操作者に低電圧であることを告知する技術について開示されている。
特許文献４には、電源電圧が低下すると擬似的にＲＧＢ信号処理回路の映像信号の切換えに用いるＹｓ信号を出力し、ＯＳＤ信号の入力が無い状態でＲＧＢ信号処理回路の入力切換を強制的にＯＳＤ信号を表示するようにし、真っ黒な画面を画面に表示させる技術が開示されている。
特許文献５には、直流主電圧源の出力電圧が所定の減電警告範囲に入ると、画面に減電警告を表示し、減電警告範囲の下限であるオフ電圧より低くなると、シャットダウンする技術が開示されている。
【先行技術文献】
【特許文献】
【０００３】
【特許文献１】特開2008-219658号公報
【特許文献２】実用新案登録第3123106号公報
【特許文献３】特開2006-040651号公報
【特許文献４】特開2004-207792号公報
【特許文献５】特開平05-232154号公報
【発明の概要】
【発明が解決しようとする課題】
【０００４】
上述した特許文献１，４にかかる技術では、減電圧状態になると突然スタンバイ状態になったり表示が真っ黒に切り換わったりするため、ユーザーは状況を把握することできなかった。特許文献２にかかる技術はそもそも減電圧に対応する技術ではない。
また上述した特許文献３，５にかかる技術では、出力電圧が低下していることはユーザーに通知されるものの、出力の低下を通知してからシャットダウンしたりするまでの間は出力低下の程度や出力の回復などの電源状況を把握することができない。
【０００５】
本発明は上記課題に鑑みてなされたものであり、表示部を備える装置の回路であって、電源の出力電圧が低下したときに電源状況をユーザーに知らしめることによりユーザビリティを向上することが可能な回路の提供を目的とする。
【課題を解決するための手段】
【０００６】
上記課題を解決するために、本発明の回路では、電源回路と、表示部を制御する表示制御回路と、上記電源回路の出力電圧が第１電圧以下になると第１検知信号を上記表示制御部に出力する第１減電検知回路と上記電源回路の出力電圧が上記第１電圧よりも低い第２電圧以下になると第２検知信号を上記表示制御部に出力する第２減電検知回路と上記電源回路の出力電圧が上記第２電圧よりも低い第３電圧以下になると第３検知信号を上記表示制御部に出力する第３減電検知回路とを少なくとも備えた検知回路と、を備え、上記表示制御回路は、上記第１検知信号を入力されると上記表示部に第１の警告メッセージを表示し、上記第２検知信号を入力されると上記表示部に第２の警告メッセージを表示し、上記第３検知信号を入力されると上記電源回路をスタンバイ状態に移行させる構成としてある。このように構成することにより、ユーザーは段階的に電源状況を把握することが出来るため、減電段階が進行してスタンバイ状態に移行しても違和感を戸惑うことがない。
【０００７】
また、本発明の選択的な一態様として、上記表示制御回路は、上記第１の警告メッセージもしくは上記第２の警告メッセージを表示するといずれの警告メッセージを表示した旨を示す情報を記憶部に記憶する手段と、上記第２検知信号と上記第３検知信号との何れかが入力された後に上記第１〜第３検知信号の何れも入力されなくなると上記表示部に回復メッセージを表示するとともに上記記憶部から上記情報をクリアする手段とを備える構成としてもよい。このように構成することにより、一旦電源状況が悪化しても、その後電源状況が改善されたことをユーザーが認識することが出来るため、ユーザビリティが向上する。
【０００８】
また、本発明の選択的な一態様として、上記電源回路は、スイッチングトランスと該スイッチングトランスの一次巻線に対する印加電圧のオンオフを切換えるスイッチ回路と上記スイッチングトランスの二次巻線に発生する二次電圧の正の半波を所定割合に低下した帰還電圧を生成するフィードバック回路と上記帰還電圧が一定になるように上記スイッチ回路のオンオフを制御する帰還制御回路とを備えており、上記検知回路の監視する上記出力電圧は上記二次電圧の負の半波である構成としてもよい。該構成によれば、電源回路から各回路へ供給される電圧を二次電圧の正の半波とし、この正の半波をフィードバック制御によって安定させつつ、検知回路は二次電圧における出力の変動が残っている負の半波を監視しているため出力の変動を適切に監視することができる。よって、スタンバイに移行すべき電圧に達するまで表示部を備えた装置を安定動作しつつ、正確な電源状況をユーザーに通知することが可能となる。
【０００９】
また、本発明の選択的な一態様として、上記検知回路は、上記第１減電検出回路と上記第２減電検出回路と上記第３減電検出回路との前段に上記電源回路から上記出力電圧を入力される整流平滑回路を備えており、上記整流平滑回路は、カソード側に上記二次電圧が入力されたダイオードと上記ダイオードのアノード側にカソード側が接続されたツェナダイオードと上記ダイオードのアノード側とツェナダイオードのアノード側とに負極が接続されるとともに正極が接地された電界コンデンサと、を備える構成としてもよい。すなわち、電源回路から上記検知回路への逆流を防止するとともに上記検知回路から上記電源回路への電流の発生も防止しつつ、電源回路の二次巻線に発生する二次電圧の負の半波の変動を監視することができる。
【００１０】
また、本発明の選択的な一態様として、上記第１減電検出回路は、上記電源回路の出力電圧を分圧する第１分圧回路とベースに上記第１分圧回路の分圧が印加されるとともにエミッタが接地されたＮＰＮ型の第１トランジスタと該第１トランジスタのコレクタに一端が接続されるとともに他端が所定の定電圧源に接続された第１分割抵抗とを備えており、上記電源回路の出力電圧が上記第１電圧以下になると上記第１トランジスタのベースに印加される分圧が上記第１トランジスタをターンオンする電圧を超過し、上記第１分割抵抗の分割点の電圧を上記第１検知信号として上記表示制御回路に入力し、上記第２減電検出回路は、上記電源回路の出力電圧を分圧する第２分圧回路とベースに上記第２分圧回路の分圧が印加されるとともにエミッタが接地されたＮＰＮ型の第２トランジスタと該第２トランジスタのコレクタに一端が接続されるとともに他端が上記第１分割抵抗の分割点に接続された第２抵抗とを備えており、上記電源回路の出力電圧が上記第２電圧以下になると上記第２トランジスタのベースに印加される分圧が上記第２トランジスタをターンオンする電圧を超過し、上記第１分割抵抗の分割点の電圧を上記第２検知信号として上記表示制御回路に入力する構成としてもよい。このように構成することにより、第１減電検出回路の出力する第１検知信号と第２減電検出回路の出力する第２検知信号の出力ラインを統合することが出来るため、表示制御回路の回路構成を簡略化できるし、第１減電検出回路の第１分割抵抗を第２減電検出回路でも共用できるため、検知回路の回路構成を簡略化できる。また、減電検出回路を３つ以上に増やしても抵抗を共用することができるため、低コストで多段的な電源状況の監視と通知が可能となる。
【００１１】
また本発明の選択的な一態様として、上記表示制御回路は、少なくとも一部がＩＣ（Integrated circuit）で構成されており、上記第１検知信号と上記第２検知信号は上記ＩＣの汎用ポートに入力され、上記第３検知信号は上記ＩＣのリセットポートに入力されている構成としてもよい。ＩＣに従来備えられているリセットポートを有効活用しつつ、検知動作に利用される汎用ポートの数を最小限に抑えることにより、回路設計の自由度を向上することができる。
【００１２】
なお、上述した回路は、他の機器に組み込まれた状態で実施されたり他の方法とともに実施されたりする等の各種の態様を含む。
【発明の効果】
【００１３】
以上説明したように本発明によれば、表示部を備える装置の回路において、電源の出力電圧が低下したときに電源状況をユーザーに知らしめることによりユーザビリティを向上することが可能なになる。
また請求項２にかかる発明によれば、さらにユーザビリティが向上する。
そして請求項３にかかる発明によれば、出力電圧を安定させつつ適切なタイミングでユーザーに減電圧を通知することが可能となる。
さらに請求項４にかかる発明によれば、監視する出力ラインがＡＣラインのときに適格な減電検知が可能であり、ユーザビリティが向上する。
また請求項５にかかる発明によれば、マイコンの単一のポートで複数の減電段階を検知することが可能となる。
そして請求項６にかかる発明によれば、既存のＩＣを利用して本発明を容易に実施可能となる。
【図面の簡単な説明】
【００１４】
【図１】テレビジョンのハードウェア構成のブロック図である。
【図２】電源回路の回路図である。
【図３】減電検出回路の回路図である。
【図４】減電検出処理の流れを示すフローチャートである。
【発明を実施するための形態】
【００１５】
以下、下記の順序に従って本発明の実施形態を説明する。
（１）本実施形態の構成：
（２）電源回路の概略：
（３）検知回路：
（４）減電検出処理：
（５）まとめと変形例：
【００１６】
（１）本実施形態の構成： 
図１は、本発明が適用されるテレビジョンとしてのテレビジョン１００の概略構成を示すブロック図である。なお、本実施形態ではテレビジョン１００を例にとって説明を行うが、本発明はこれに限定されるものではなく、電源回路と表示装置とを備えた電気電子機器であれば本発明を適用可能である。また、同図では、発明に関係しない部位については記載を省略してある。
【００１７】
図１において、テレビジョン１００は、チューナ１０と、映像処理部１２と、ＯＳＤ回路１４と、液晶モジュール１６と、音声処理部１８と、スピーカ２０と、マイコン２２と、不揮発性のメモリーであるＥＥＰＲＯＭ２３と、電源回路２４と、リモコン２６ａの発信するリモコン信号を受信するリモコン受信部２６と、電源回路２４の減電状況を監視する検知回路３０と、を備えている。各部１０，１２，１８，１４，１６，２２は汎用的なシリアル通信バスであるＩＩＣバス２８で接続されており、所定の通信プロトコルに基づいて互いに通信可能になっている。
【００１８】
チューナ１０は地上波放送信号を受信可能なアンテナやケーブルテレビ回線などに接続されており、アナログやデジタルのテレビ放送信号を入力される。チューナ１０はマイコン２２の制御にしたがって選局動作を行うことにより、入力されたテレビ放送信号の中からテレビ放送帯域に対応した所望周波数のテレビ放送信号を受信する。そして、受信したテレビ放送信号から所要の信号だけを選択して高周波増幅し、中間周波信号に変換して出力する。
【００１９】
映像処理部１２は、チューナ１０から入力された中間周波信号の信号レベルに応じてデジタル化する。そして、デジタル化された中間周波信号に各種の信号処理を施すことにより、ＲＧＢ（赤、緑、青）で表現される映像信号（ＲＧＢ信号）や同期信号、音声信号を復元する。復元された同期信号は、所定の信号処理が施された後、マイコン２２に出力され、復元された音声信号は、音声処理部１８で増幅やトーン調整が行われてからスピーカ２０に出力される。また、映像処理部１２は、復元されたＲＧＢ信号に対して表示装置の画素数（横縦比、ｍ：ｎ）に合わせたスケーリング処理を行って表示装置の１画面分の画像データを生成する。このように生成された画像データはＯＳＤ回路１４に出力される。
【００２０】
ＯＳＤ回路１４には、映像処理部１２から入力される画像データにオンスクリーンディスプレイ信号（ＯＳＤ信号）を重畳することにより、映像に所定の静止画像を重ねて表示したり、所定の静止画像を差し替えて表示する等の処理を行うことができる。例えば、マイコン２２がＯＳＤ回路１４に文字情報等のデ−タを入力すると、この文字情報等のデ−タに基づいて静止画像を生成して画像データに重畳して画像データを表示装置に出力する。また例えば、マイコン２２がＯＳＤ回路１４に文字情報などのデータを入力すると、この文字情報等のデ−タに基づいて生成した静止画像を画像データの代わりに表示装置へ出力する。なお、マイコン２２から文字情報等のデ−タ入力が無いときは、ＯＳＤ回路１４は、映像処理部１２から入力された画像データをそのまま液晶モジュール１６に出力する。本実施形態においては、液晶モジュール１６が表示部を構成し、液晶モジュール１６の表示を制御するマイコン２２やＯＳＤ回路１４が表示制御回路を構成する。
【００２１】
マイコン２２は、マイコン２２内部の構成部品としてのＣＰＵが、同じくマイコン２２内の構成部品であるＲＯＭやＲＡＭなどに書き込まれた各プログラムに従って演算処理を行うことにより、テレビジョン１００全体を制御する。またマイコン２２はタイマ回路を内蔵しており、タイマ回路の発生するクロック信号を取得している。なお、図１においてはＣＰＵやＲＯＭやＲＡＭについては図示を省略している。
【００２２】
リモコン２６ａは、操作を受け付ける複数のキーとリモコン信号を出力するリモコン信号送信回路とを有し、複数のキーの操作に応じたリモコン信号を所定のフォーマットで送出する。すると、マイコン２２は、リモコンで行われたキー操作に応じた処理が実行される。
例えば、リモコン２６ａを用いて所望のチャンネルを受信させるべく操作すると、リモコン信号送信部から対応するリモコン信号が出力される。すると、リモコン受信部２６は、リモコン信号を受信してリモコン信号に対応する電圧信号を生成してマイコン２２に出力する。マイコン２２は、リモコンのキー操作と電圧信号との対応関係を保持しており、この対応関係を参照することによりリモコン２６ａで行われたキー操作を検知することができる。その結果、マイコン２２は、対応するチャンネルを受信させるように周波数データをチューナ１０に送出することができる。
【００２３】
電源回路２４は、商用電源などの交流電源から各種電圧を生成しており、テレビジョン１００の各部に電源電圧を供給している。電源回路２４は、入力されている商用電源が不安定になったりすることにより、出力が低下してテレビジョン１００の動作に必要な電圧を供給できなくなる可能性がある。そこで、テレビジョン１００は、電源回路２４の減電を検知してテレビジョン１００を自動的にスタンバイ状態へ移行させるための検知回路３０を備えている。以下、電源回路２４の出力電圧について説明する前にまず電源回路２４の概略構成について説明を行ってから、検知回路３０について説明を行う。
【００２４】
（２）電源回路の概略：
図２は、本実施形態にかかる電源回路の説明図である。同図では、本発明に関わる部位を回路図とし、他の部位については機能的なブロック図で示したり記載を省略したりしてある。同図に示すように、電源回路２４は、交流電源から入力される電源電圧を整流平滑した平滑電圧を出力する整流平滑回路２４ａと、スイッチングトランスＴの一次巻線Ｗ１に対する平滑電圧の印加のオンオフを切換えるスイッチ回路２４ｃと、スイッチングトランスＴの二次巻線Ｗ２からそれぞれ出力される二次電圧の伝送ラインであるラインＬ１，Ｌ２，Ｌ３と、ラインＬ１，Ｌ３の電圧に基づいて帰還電圧を生成するフィードバック回路２４ｄと、フィードバック回路２４ｄの出力する帰還電圧が一定になるようにスイッチ回路２４ｃのオンオフタイミングを制御する帰還制御回路２４ｂと、を備えている。ラインＬ１とラインＬ２とラインＬ３とでは、それぞれ二次巻線の巻き数が異なっている。各ラインでは、各巻き数に対応して出力されるパルス電圧の正の半波を整流平滑することにより、例えばラインＬ１には３５Ｖが出力され、ラインＬ３には６．７Ｖが出力されるように調整されている。なお、ラインＬ２については、本実施形態に直接関与しないため説明を省略する。
【００２５】
フィードバック回路２４ｄには、マイコン２２の出力するフィードバック切換信号が入力されており、フィードバック切換信号がＬ論理のときはラインＬ３の電圧に基づいて帰還電圧Ｖｂを生成し、フィードバック切換信号がＨ論理のときはラインＬ３の電圧よりも高いラインＬ１の電圧に基づいて帰還電圧Ｖｂを生成するようになっている。
【００２６】
より具体的には、ＮＰＮ型のトランジスタＴｒ４のベースにフィードバック切換信号が入力されないときはトランジスタＴｒ４がオフしているため、合成抵抗Ｒ１２によってラインＬ３の電圧を所定割合に分圧した電圧に基づいて帰還電圧Ｖｂが生成されてフォトカプラを介して帰還制御回路２４ｂに帰還電圧Ｖｂとして入力される。一方、トランジスタＴｒ４のベースにフィードバック切換信号が入力されるとトランジスタＴｒ４がオンするため、合成抵抗Ｒ１１によってラインＬ１の電圧を所定割合に分圧した電圧に基づいて帰還電圧Ｖｂが生成されてフォトカプラを介して帰還制御回路２４ｂに帰還電圧Ｖｂとして入力される。
【００２７】
マイコン２２は、電源オンのときにはフィードバック切換信号をＬ論理とすることによりトランジスタＴｒ４をオフさせ、スタンバイのときにはフィードバック切換信号をＨ論理とすることによりトランジスタＴｒ４をオンさせる。
【００２８】
以上の構成において、ラインＬ１の電圧が定格よりも上昇するとフィードバック回路２４ｄのトランジスタＴｒ５がオンし、フォトカプラを介して帰還電圧Ｖｂを帰還制御回路２４ｂに入力するため、帰還制御回路２４ｂはスイッチ回路２４ｃのオン期間を狭めることにより二次電圧の出力を低下させる。一方、ラインＬ１の電圧が定格よりも低下するとフィードバック回路２４ｄのトランジスタＴｒ５がオフするため、帰還電圧Ｖｂが帰還制御回路２４ｂに入力されなくなり、帰還制御回路２４ｂはスイッチ回路２４ｃのオン期間を広げることにより二次電圧の出力を上昇させる。
【００２９】
以上説明したように電源回路２４においては、帰還制御回路２４ｂが、二次電圧の正の半波を整流平滑した電圧を伝送するラインＬ１やラインＬ３の電圧に基づいてスイッチ回路２４ｃのオンオフを制御しているため、各ラインＬ１，Ｌ２，Ｌ３に発生する二次電圧は、一定になるように制御されている。これに対し、二次巻線Ｗ２から各ラインに向けて出力される整流平滑前の負の半波成分に関しては、一定になるように制御されていないため、交流電源の電源変動を反映した値となっている。そこで、以下に説明する検知回路３０では、二次巻線Ｗ２から出力される整流平滑前の負の半波を監視している。
【００３０】
（３）検知回路： 
図３は、検知回路の回路構成の一例を示す回路図である。同図に示すように、検知回路３０は、電源回路２４のスイッチングトランスＴから出力される出力電圧Ｖｎの出力ライン（ラインＬ１〜Ｌ３のいずれか）に接続されるとともに出力電圧Ｖｎの負の半波成分を整流・平滑して平滑電圧Ｖｓとして出力する整流平滑回路３１と、整流平滑回路３１の平滑電圧Ｖｓを出力する端子に接続されると共にマイコン２２の汎用ポートＧＰに接続された第１減電検出回路３２と、整流平滑回路３１の平滑電圧Ｖｓを出力する端子に接続されると共にマイコン２２の汎用ポートＧＰに接続された第２減電検出回路３３と、整流平滑回路３１の平滑電圧Ｖｓを出力する端子に接続されると共にマイコン２２のリセットポートＲＰに接続された第３減電検出回路３４と、を備えている。
【００３１】
整流平滑回路３１は、カソード側が出力電圧Ｖｎの出力ラインに接続されたダイオードＤと、ダイオードＤのアノード側にカソード側が接続されたツェナダイオードＺＤと、ダイオードＤのアノード側とツェナダイオードＺＤのアノード側とに負極が接続されるとともに正極が接地された電界コンデンサＣと、を備える。
【００３２】
このように構成された整流平滑回路３１において、ダイオードＤは電源回路２４から検知回路３０に向かって電流が流れないように遮断する保護素子として作用するとともに、出力電圧Ｖｎを半波整流した脈流成分を後段の電界コンデンサＣに与える整流素子として作用する。また電界コンデンサＣは、半波整流された出力電圧Ｖｎを平滑した平滑電圧Ｖｓを蓄積するとともにこの平滑電圧ＶｓをツェナダイオードＺＤを介して各減電検出回路３２〜３４に出力する平滑素子として作用する。なお、整流平滑回路３１において、ツェナダイオードＺＤのカソード側が平滑電圧Ｖｓを出力する端子に相当する。
【００３３】
ツェナダイオードＺＤは、平滑電圧Ｖｓが所定電圧を下回るまでの間に各減電検出回路３２〜３４から電源回路２４へ流れる電流が発生しないように遮断する保護素子として作用するとともに、電源回路２４の出力が十分に上昇することにより平滑電圧Ｖｓが所定電圧を超えることによって各減電検出回路３２〜３４から電源回路２４へ流れる電流が発生しなくなると降伏する。その結果、第１減電検出回路３２の分割抵抗Ｒ１，Ｒ２と電界コンデンサＣ、第２減電検出回路の分割抵抗Ｒ５，Ｒ６と電界コンデンサＣ、第３減電検出回路の分割抵抗Ｒ８，Ｒ９と電界コンデンサＣ、のそれぞれが分圧回路として動作するようになる。なお、本実施形態においては、第１減電検出回路３２の分割抵抗Ｒ１，Ｒ２と電界コンデンサＣとで構成される分圧回路が第１分圧回路を構成し、第２減電検出回路の分割抵抗Ｒ５，Ｒ６と電界コンデンサＣとで構成される分圧回路が第２分圧回路を構成する。
【００３４】
第１減電検出回路３２は、一端がツェナダイオードＺＤのカソード側と接続されるとともに他端が３．３Ｖラインに接続された分割抵抗Ｒ１，Ｒ２と、分割抵抗Ｒ１，Ｒ２の分割点にベースを接続されるとともにエミッタを接地されたトランジスタＴｒ１と、一端がトランジスタＴｒ１のコレクタに接続されるとともに他端が３．３Ｖラインに接続された分割抵抗Ｒ３，Ｒ４と、を備えている。分割抵抗Ｒ３，Ｒ４の分割点は、マイコン２２の汎用ポートＧＰに接続されている。３．３Ｖラインは所定の定電圧源を構成し、分割抵抗Ｒ３，Ｒ４はトランジスタＴｒ１のコレクタ−エミッタが導通すると３．３Ｖラインとグランドとの間で分圧回路を構成することになる。また、分割抵抗Ｒ１，Ｒ２は、ツェナダイオードＺＤが降伏することにより、電界コンデンサＣも含めた形で分圧回路を構成する。本実施形態においては、分割抵抗Ｒ３，Ｒ４が第１分割抵抗を構成する。
【００３５】
以上のように構成された第１減電検出回路３２において、平滑電圧Ｖｓが１７０Ｖを下回ると分割抵抗Ｒ１，Ｒ２の分割点からトランジスタＴｒ１のベースに入力されている電圧がスイッチングトランジスタであるトランジスタＴｒ１のオン電圧を超えるためトランジスタＴｒ１がオンする。すると、トランジスタＴｒ１のコレクタ−エミッタ間が導通して３．３Ｖラインから分割抵抗Ｒ３，Ｒ４を介してグランドへ電流が流れるため、分割抵抗Ｒ３，Ｒ４の分割点の電圧が２．０Ｖとなり、この２．０Ｖがマイコン２２の汎用ポートＧＰに入力される。
【００３６】
第２減電検出回路３３は、一端がツェナダイオードＺＤのカソード側と接続されるとともに他端が３．３Ｖラインに接続された分割抵抗Ｒ５，Ｒ６と、分割抵抗Ｒ５，Ｒ６の分割点にベースを接続されるとともにエミッタを接地されたトランジスタＴｒ２と、一端がトランジスタＴｒ２のコレクタに接続されるとともに他端が分割抵抗Ｒ３，Ｒ４の分割点に接続された抵抗Ｒ７と、を備えている。抵抗Ｒ７は、トランジスタＴｒ２のコレクタ−エミッタが導通すると、トランジスタＴｒ１のコレクタ−エミッタを介してグランドに接続された分割抵抗Ｒ３，Ｒ４とともに分割抵抗を構成する。すなわち、抵抗Ｒ３と抵抗Ｒ７が並列接続されるとともにこの並列接続された抵抗Ｒ３，Ｒ７と抵抗Ｒ４とが直列接続された分割抵抗として作用する。また、抵抗Ｒ３，Ｒ４，Ｒ７は分圧回路でもある。なお、本実施形態においては、抵抗Ｒ７が第２抵抗を構成する。
【００３７】
以上のように構成された第２減電検出回路３３において、平滑電圧Ｖｓが１６０Ｖを下回ると分割抵抗Ｒ５，Ｒ６の分割点からトランジスタＴｒ２のベースに入力されている電圧がスイッチングトランジスタであるトランジスタＴｒ１のオン電圧を超えるためトランジスタＴｒ２がオンする。すると、トランジスタＴｒ２のコレクタ−エミッタ間が導通して分割抵抗Ｒ３，Ｒ４の分割点から抵抗Ｒ７を介してグランドへ電流が流れるため、分割抵抗Ｒ３，Ｒ４の分割点の電圧が１．４Ｖとなり、この１．４Ｖがマイコン２２の汎用ポートＧＰに入力される。
【００３８】
このように、第１減電検出回路３２と第２減電検出回路３３との間で分割抵抗の一部を共用することにより、平滑電圧Ｖｓに対して第１減電検出回路３２と第２減電検出回路３３とでそれぞれに設定された閾値に対応して、汎用ポートＧＰに入力する電圧を段階的に変化させることができるし、コストダウンにもつながる。なお、本実施形態では、第１減電検出回路３２と第２減電検出回路３３の２つの回路間で分割抵抗を共用することにより２段階（トランジスタＴｒ１，Ｔｒ２のいずれもオンしていない状態を含めると３段階）に変化させた電圧を汎用ポートＧＰに入力できるようにしたが、減電検出回路の数を増やすことにより、２以上の多段階で電圧を変化させることも可能であり、より詳細な電源状況を表示することもできる。
【００３９】
第３減電検出回路３４は、一端がツェナダイオードＺＤのカソード側と接続されるとともに他端が３．３Ｖラインに接続された分割抵抗Ｒ８，Ｒ９と、分割抵抗Ｒ８，Ｒ９の分割点にベースを接続されるとともにエミッタを接地されたトランジスタＴｒ３と、一端がトランジスタＴｒ３のコレクタに接続されるとともに他端が３．３Ｖラインに接続された抵抗Ｒ１０と、を備えている。抵抗Ｒ１０の一端は、マイコン２２のリセットポートＲＰに接続されている。
【００４０】
以上のように構成された第３減電検出回路３４において、平滑電圧Ｖｓが１５０Ｖを下回ると分割抵抗Ｒ８，Ｒ９の分割点からトランジスタＴｒ３のベースに入力されている電圧がスイッチングトランジスタであるトランジスタＴｒ３のオン電圧を超えるためトランジスタＴｒ３がオンする。すると、トランジスタＴｒ３のコレクタ−エミッタ間が導通して抵抗Ｒ１０からグランドへ電流が流れるため、グランド電位がマイコン２２のリセットポートＲＰに入力される。
【００４１】
以上のように構成された検知回路３０において、各減電検出回路３２〜３４は、平滑電圧Ｖｓを監視することにより電源回路２４の出力する出力電圧Ｖｎを監視しており、平滑電圧Ｖｓが減電検出回路３２〜３４のそれぞれにおいて予め設定されている電圧（閾値）を下回ると特定の電圧をマイコン２２の汎用ポートＧＰやリセットポートＲＰに入力する。すなわち、第１減電検出回路３２は、平滑電圧Ｖｓが１７０Ｖ以上のときは３．３Ｖをマイコン２２の汎用ポートＧＰに入力すると共に、平滑電圧Ｖｓが１７０Ｖ（第１電圧）を下回るとマイコン２２の汎用ポートＧＰに２．０Ｖ（第１検知信号）を入力する。また、第２減電検出回路３３は、平滑電圧Ｖｓが１６０Ｖ以上のときは３．３Ｖもしくは２．０Ｖをマイコン２２の汎用ポートＧＰに入力すると共に、平滑電圧Ｖｓが１６０Ｖ（第２電圧）を下回るとマイコン２２の汎用ポートＧＰに１．４Ｖ（第２検知信号）を入力する。また、第３減電検出回路３４は、平滑電圧Ｖｓが１５０Ｖ以上のときは３．３Ｖ（Ｈ論理）をマイコン２２のリセットポートＲＰに入力すると共に、平滑電圧Ｖｓが１５０Ｖ（第１電圧）を下回るとマイコン２２のリセットポートＲＰに０Ｖ（Ｌ論理、第３検知信号）を入力する。よって、マイコン２２は、電源回路２４の出力電圧Ｖｎの定格（例えば２００Ｖ）から、出力電圧Ｖｎが装置の動作下限として予め規定された電圧（本実施形態ではＶｓ＝１５０Ｖのときの出力電圧Ｖｎ）に低下して行くまでに、出力電圧Ｖｎの低下を段階的（本実施形態ではＶｓ＝１７０Ｖ，１６０Ｖにそれぞれ対応する出力電圧Ｖｎの２段階）に検知することができるようになる。
【００４２】
なお本実施形態においては、１７０Ｖの平滑電圧Ｖｓに対応する出力電圧Ｖｎが第１電圧を構成し、１６０Ｖの平滑電圧Ｖｓに対応するＡＣ電源電圧が第２電圧を構成し、１５０Ｖの平滑電圧Ｖｓに対応するＡＣ電源電圧が第３電圧を構成し、検知回路３０の出力する２．０Ｖが第１検知信号を構成し、検知回路３０の出力する１．４Ｖが第２検知信号を構成し、検知回路３０の出力するＬ論理の電圧が第３検知信号を構成し、マイコン２２が表示制御手段を構成し、ＯＳＤ回路１４と液晶モジュール１６が表示部を構成する。
【００４３】
また、本実施形態では、第１減電検出回路３２と第２減電検出回路３３とで抵抗を共用するとともに検知信号を入力する汎用ポートＧＰも共通としたが、抵抗を共用せずにそれぞれに用意するとともに第１検知信号と第２検知信号の入力される汎用ポートＧＰをべつべつに構成することも可能である。このように汎用ポートＧＰを各電圧ごとに用意した場合、マイコン２２から見れば、平滑電圧Ｖｓが１７０Ｖのときには２．０Ｖが入力され、平滑電圧Ｖｓが１６０Ｖのときには２．０Ｖと１．４Ｖとが入力され、平滑電圧Ｖｓが１５０Ｖのときには２．０Ｖと１．４ＶとＬ論理とが入力されていることになる。従って、２．０Ｖが第１検知信号を構成し、２．０Ｖと１．４Ｖとの組合せが第２検知信号を構成し、２．０Ｖと１．４ＶとＬ論理との組合せが第３検知信号を構成することになる
【００４４】
（４）減電検出処理：
以上の構成を利用しつつマイコン２２が実行する減電検出処理について説明を行う。なお、本実施形態のマイコン２２は単一のＩＣ（Integrated Circuit）で構成されているが、ＣＰＵとＲＡＭとＲＯＭとをバス接続して構成したマイコンであってもよい。また、本実施形態で減電検出処理を実行する主体はマイコン２２としてあるが、むろん、本実施形態の減電検出処理と同等の機能を備えた専用ＩＣを制御主体としてもよいし、本実施形態の減電検出処理と同等の機能を備えた電子回路を制御主体としてもよい。
【００４５】
図４は、減電検出処理の流れを示すフローチャートである。同図に示す処理はマイコン２２で実行されており、テレビジョン１００の電源がオンの間は、所定時間（例えば２００ｍｓ）ごとに繰り返し実行されている。処理が開始されると、マイコン２２は、リセットポートＲＰに入力されている電圧Ｖｒｐを取得する（Ｓ１００）。そしてマイコン２２は、ステップＳ１００で取得した電圧ＶｒｐがＬ論理であるか否かを判断し（Ｓ１０５）、Ｌ論理である場合はステップＳ１１０に進み（Ｓ１０５：Ｙｅｓ）、Ｌ論理でない場合はステップＳ１１５に進む（Ｓ１０５：Ｎｏ）。
【００４６】
ステップＳ１０５からステップＳ１１０に進むと、マイコン２２は、電源回路２４にフィードバック切換信号を入力することにより電源回路２４の出力を低下させてスタンバイ状態に移行させるとともに、マイコン２２もプログラムの必須変数などをＥＥＰＲＯＭ２３などの不揮発性のメモリーに格納し、制御プログラムをスタンバイ用の省電力プログラムに切換えることによりスタンバイ状態に移行する。
【００４７】
一方、ステップＳ１０５からステップＳ１１５に進むと、マイコン２２は汎用ポートＧＰに入力されている電圧Ｖｇｐを取得してステップＳ１２０に進む。そして、マイコン２２は、Ｖｇｐが１．４Ｖ以下であるか否かを判断し（Ｓ１２０）、Ｖｇｐが１．４Ｖ以下であればステップＳ１２５に進み（Ｓ１２０：Ｙｅｓ）、Ｖｇｐが１．４Ｖ以上であればステップＳ１３５に進む。
【００４８】
ステップＳ１２０からステップＳ１２５に進むと、マイコン２２は、注意メッセージを液晶モジュール１６に表示する。より具体的には、マイコン２２がＯＳＤ回路１４に注意メッセージの表示を指示するとＯＳＤ回路１４が注意メッセージのＯＳＤ信号を生成し、ＯＳＤ回路１４はＯＳＤ信号を映像処理部１２から入力された画像データに重畳して液晶モジュール１６に出力する。このようにして注意メッセージが液晶モジュール１６に表示されると、利用者はテレビジョン１００の電源が低下していることを認識し、スタンバイ状態に移行する可能性があることをテレビジョン１００が実際にスタンバイ状態に移行する前に予め認識することができる。注意メッセージは、例えば「注意  電源電圧が低くなっています」等のように利用者に注意を促すメッセージになっており、テレビジョン１００がスタンバイ状態に移行する前に利用者が心の準備を行えるようなメッセージになっている。本実施形態においては、注意メッセージが第１の警告メッセージを構成する。
【００４９】
一方、ステップＳ１２０からステップＳ１３０に進むと、マイコン２２は、Ｖｇｐが２．０Ｖ以下であるか否かを判断し（Ｓ１３０）、Ｖｇｐが２．０Ｖ以下であればステップＳ１４０に進み（Ｓ１３０：Ｙｅｓ）、Ｖｇｐが２．０Ｖ以上であればステップＳ１４０に進む（Ｓ１３０：Ｎｏ）。
【００５０】
ステップＳ１３０からステップＳ１３５に進むと、マイコン２２は、警告メッセージを液晶モジュール１６に表示する。具体的な表示手法は注意メッセージと同様である。このようにして警告メッセージが液晶モジュール１６に表示されると、利用者はテレビジョン１００の電源がさらに低下していることを認識することができる。警告メッセージは、例えば「警告  これ以上電源電圧が低下するとテレビはスタンバイします」等のように利用者に警告するメッセージになっており、テレビジョン１００がスタンバイ状態に移行する前に利用者にスタンバイへ移行することを通知するメッセージになっている。本実施形態においては、警告メッセージが第２の警告メッセージを構成する。
【００５１】
一方、ステップＳ１３０からステップＳ１４０に進むと、マイコン２２は、電源電圧が回復したのか否かを判断する。すなわち、最近に実行された減電検出処理において注意メッセージを表示していて今回実行している減電検出処理においていずれのメッセージも表示していないのであれば電源状態が回復しているし、最近に実行された減電検出処理において警告メッセージを表示していて今回実行している減電現出処理において注意メッセージを表示していたりいずれのメッセージも表示していなかったりするのであれば減電状態が回復している。本実施形態においては、これらの電源状態をＥＥＰＲＯＭ２３に記憶しているものとする。マイコン２２は、電源電圧が回復していると判断した場合はステップＳ１４５に進み（Ｓ１４０：Ｙｅｓ）、電源電圧が回復していないと判断した場合はステップＳ１５５に進む（Ｓ１５５：Ｎｏ）。本実施形態においては、ＥＥＰＲＯＭ２３が所定の記憶部を構成する。
【００５２】
ステップＳ１４０からステップＳ１４５に進むと、マイコン２２は、回復メッセージを液晶モジュール１６に表示する。表示手法は、注意メッセージと同様である。回復メッセージは、例えば「回復  電源状態が回復しました」等のように、電源電圧が以前よりも改善したことをユーザーに通知する内容となっている。そして、マイコン２２は、ＥＥＰＲＯＭ２３に記憶している電源状態に関する情報をクリアして（Ｓ１５０）、減電検出処理を終了する
【００５３】
一方、ステップＳ１４０からステップＳ１５５に進むと、マイコン２２は、ステップＳ１２５やステップＳ１３５で表示したメッセージの内容に対応する電源状態に関する情報をＥＥＰＲＯＭ２３に記憶する。すなわち、ステップＳ１２５を実行して注意メッセージを表示したのであれば、マイコン２２は、ＥＥＰＲＯＭ２３に、電源状態が「注意」である旨を示す情報を記憶し、ステップＳ１３５を実行して警告メッセージを表示したのであれば、マイコン２２は、ＥＥＰＲＯＭ２３に電源状態が「警告」である旨を示す情報を記憶する。このように最近の電源状態に関する情報を記憶しておくことにより、電源状態が回復したか悪化したかを判断することができるようになる。
【００５４】
むろん、最近の電源状態のみならず、過去に実行された減電検出処理において検出された電源状態を複数回に亘って記憶しておいてもよく、このように複数回の電源状態を記憶しておけば時間の経過に従って電源状態がどのように変化しているかを液晶モジュール１６に表示したり、統計的な情報をディスプレイに１６に表示したりすることも出来るようになる。むろん、電源状態を表示させるためのメニューを別途設けておいて、このメニューが選択されたときに電源状態の変化や統計情報を画面に表示させたりすることも出来るようになる。ステップＳ１５５が終了すると、マイコン２２は減電検出処理を終了する。
【００５５】
（５）まとめと変形例： 
以上説明した実施形態によれば、電源回路２４と、液晶モジュール１６を制御するマイコン２２と、電源回路２４の出力電圧が１７０Ｖ以下になると２．０Ｖをマイコン２２の汎用ポートＧＰに出力するとともに電源回路２４の出力電圧が１６０Ｖになると１．４Ｖをマイコン２２の汎用ポートＧＰに出力し且つ電源回路２４の出力電圧が１５０Ｖになるとリセット電圧をマイコン２２のリセットポートＲＰに出力する検知回路３０と、を備え、マイコン２２は、２．０Ｖを入力されると液晶モジュール１６の画面に注意メッセージを表示し、１．４Ｖを入力されると液晶モジュール１６の画面に警告メッセージを表示し、リセット電圧を入力されると電源回路２４をスタンバイ状態に移行させる。従って、テレビジョン１００の電源回路２４の出力が低下してスタンバイ状態に移行する前に、ユーザーにそれを知らしめることが可能となる。
【００５６】
なお、上述した実施形態では、ＯＳＤ回路１４を利用して映像処理部１２から出力される画像データに各種メッセージを重畳するようにしてあるが、むろん、画像データに重畳せずに文字データのみを液晶モジュール１６表示するようにしたり、マイコン２２が画像データを生成し、これを映像処理部１２の出力する画像データに代えて液晶モジュール１６に出力したりしてもよい。
【００５７】
また、上述した実施形態では、二次電圧の負の半波成分を監視する検知回路３０について説明を行ったが、二次電圧の正の半波成分が変動する電源回路２４であれば、二次電圧の正の半波成分を監視してもよいし、二次巻線Ｗ２から出力される整流平滑前の負の半波成分を反転回路などで正値に変換した値を検知するようにしても、むろん構わない。
【００５８】
なお、本発明は上記実施例に限られるものでないことは言うまでもない。当業者であれば言うまでもないことであるが、
・上記実施例の中で開示した相互に置換可能な部材および構成等を適宜その組合せを変更して適用すること
・上記実施例の中で開示されていないが、公知技術であって上記実施例の中で開示した部材および構成等と相互に置換可能な部材および構成等を適宜置換し、またその組合せを変更して適用すること
・上記実施例の中で開示されていないが、公知技術等に基づいて当業者が上記実施例の中で開示した部材および構成等の代用として想定し得る部材および構成等と適宜置換し、またその組合せを変更して適用すること
は本発明の一実施例として開示されるものである。
【符号の説明】
【００５９】
１０…チューナ、１２…映像処理部、１４…ＯＳＤ回路、１６…液晶モジュール、１８…音声処理部、２０…スピーカ、２２…マイコン、２３…ＥＥＰＲＯＭ、２４…電源回路、２４ａ…整流平滑回路、２４ｂ…帰還制御回路、２４ｃ…スイッチ回路、２４ｄ…フィードバック回路、２６…リモコン受信部、２６ａ…リモコン、２８…ＩＩＣバス、３０…検知回路、３１…整流平滑回路、３２…第１減電検出回路、３３…第２減電検出回路、３４…第３減電検出回路、６０…リモコン、１００…テレビジョン、Ｃ…電界コンデンサ、Ｄ…ダイオード、ＺＤ…ツェナダイオード、ＧＰ…汎用ポート、Ｒ１，Ｒ２…分割抵抗、Ｒ３，Ｒ４…分割抵抗、Ｒ５，Ｒ６…分割抵抗、Ｒ７…抵抗、Ｒ８，Ｒ９…分割抵抗、Ｒ１０…抵抗、Ｒ１１…合成抵抗、Ｒ１２…合成抵抗、ＲＰ…リセットポート、Ｔ…スイッチングトランス、Ｔｒ１…トランジスタ、Ｔｒ２…トランジスタ、Ｔｒ３…トランジスタ、Ｔｒ４…トランジスタ、Ｔｒ５…トランジスタ、Ｖｂ…帰還電圧、Ｖｓ…平滑電圧、Ｖｎ…出力電圧、Ｖｇｐ…電圧、Ｖｒｐ…電圧、Ｗ１…一次巻線、Ｗ２…二次巻線
【図１】
2011085856.tif 000003
【図２】
2011085856.tif 000004
【図３】
2011085856.tif 000005
【図４】
2011085856.tif 000006